【事件の表示】
　平成１１年特許願第２１１８３７号「テープカートリッジ」拒絶査定不服審判事件〔平成１３年２月９日出願公開、特開２００１−３５１２７〕について、次のとおり審決する。
【結　論】
　本件審判の請求は、成り立たない。
【理　由】
１　手続の経緯
　本願は、平成１１年７月２７日の出願であって、平成１５年９月２９日付けで手続補正がなされ、その後、平成１５年１０月２０日付けで拒絶査定がなされ、これに対し、平成１５年１１月２８日付けで拒絶査定に対する不服の審判請求がされるとともに、同年１２月２６日付けで手続補正がなされたものである。
　
２　平成１５年１２月２６日付けの手続補正についての補正却下の決定
　［補正却下の決定の結論］
　平成１５年１２月２６日付けの手続補正（以下、「本件補正」という。）を却下する。
　
　［理由］
（１）補正後の本願発明
　本件補正は、特許請求の範囲の請求項１の
　ア
「ケース本体内にテープを巻装した１つのテープリールが回転可能に収容され、テープの先端がピン状のリーダー部材に固定されて、ケース本体に設けたテープ引き出し口から装置にテープ引き出し部材によって引き出されるテープカートリッジにおいて、
　テープ引き出し口を開閉するドア部材を有し、このドア部材は上下ケースに形成されたガイド溝内を摺動するもので、
　上下ケースのガイド溝またはドア部材上下のガイド溝に案内される部分のいずれかに前記摺動方向に直角に見たとき円弧状をなす凸部を形成したことを特徴とするテープカートリッジ。」とあるのを　
　
　イ
「ケース本体内にテープを巻装した１つのテープリールが回転可能に収容され、テープの先端がピン状のリーダー部材に固定されて、ケース本体に設けたテープ引き出し口から装置にテープ引き出し部材によって引き出されるテープカートリッジにおいて、
　テープ引き出し口を開閉するドア部材を有し、このドア部材は上下ケースに形成されたガイド溝内を摺動するもので、
　上下ケースのガイド溝またはドア部材上下のガイド溝に案内される部分のいずれかに前記摺動方向に直角に見たとき円弧状をな
し且つ前記直角に見た方向の厚みが一定の
　
　上記本件補正は、本件補正前の請求項１に記載した発明を特定するために必要な事項である「摺動方向に直角に見たとき円弧状をなす凸部」について、「且つ直角に見た方向の厚みが一定」との限定付加するものであって、特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか否か（平成１５年改正前特許法第１７条の２第５項において準用する同法第１２６条第４項の規定に適合するか）について以下に検討する。
　
（２）引用例
　原査定の拒絶の理由に引用された、本願の出願日前の他の出願であって、その出願後に出願公開された特願平１０−１０９４９４号（特開平１１−３０６７２２号公報参照）の願書に最初に添付した明細書及び図面（以下「先願明細書」という。）には、「磁気テープカートリッジ」について、以下の事項が記載されている（なお、下線は当審で付した。）。
「【請求項１】 
 磁気テープを巻装した単一のリールがカートリッジケース内に回転可能に収容され、かつ該カートリッジケースに形成された移動通路内を摺動して前記磁気テープの一端を引き出すためのテープ引出用開口部を開閉するスライドドアが設けられている磁気テープカートリッジにおいて、前記移動通路の摺動面に対向する前記スライドドアの摺動面が、凸形状に形成され
　
「【０００９】そこで、テープ引出用開口部を開閉するためのスライドドアを設けるとともに、このスライドドアを閉位置に向かって付勢するバネ部材をスライドドアの移動通路に配置することも提案されている。しかしながら、防塵性向上のために、上記スライドドアはその移動通路に比較的小さなクリアランスにより配設されるため、スライドドアを開閉する際の摺動抵抗が大きくなり、その開閉をスムーズに行うことは困難であった。
　【００１０】上述の事情に鑑み、本発明は、テープ引出用開口部を開閉するスライドドアを備えた磁気テープカートリッジにおけるスライドドアの開閉をスムーズに行うことができる磁気テープカートリッジを提供することを目的とするものである。」
　
「【００１９】
磁気テープカートリッジには、上ハーフ１ａと下ハーフ１ｂとからなるカートリッジケース１内に、磁気テープを巻装した単一のリールが回転可能に収容されている。
磁気テープの一端を引き出すためのテープ引出用開口部２
　【００２０】テープ引出用開口部２の内側には、図２に示すような凹部６が形成され、この凹部６内に、
磁気テープの先端部分をクランプしたリーダーピン４が収容され
スライドドア３が開かれ、かつ装置側のテープ引出し機構によりリーダーピン４が磁気テープとともに装置側に引き込まれる
　
「【００２４】
図４
　
「【００２８】図８は、本発明による実施の形態におけるスライドドアの第３の実施の形態を示す斜視図である。
第３の実施の形態によるスライドドア３は、第１の実施の形態における断面Ｕ字状の凸部３ｂに代えて、半球状の４つの凸部３ｇを設けたものである。
　
「【００３０】・・・（前略）・・・
図１０に示すように、
　
「【００３２】また、上記第４の実施の形態においては、スライドドア３に線状凸部３ｈを、
移動通路７
図１３
、移動通路７
図１４
移動通路７
　
　図４（ａ）（ｂ）には、移動通路７にバネ部材６が設けられていること、また閉位置のスライドドア３の上下側部分が、テープ引出用開口部２において、上ハーフ１ａと下ハーフ１ｂと重なることが図示されている。
　図１０，１３，１４には、ハーフ１ａ，１ｂの移動通路７内にスライドドア３の平坦部分が重なることが図示されている。
　
　上記記載のハーフ１ａ，１ｂに設けられた移動通路は、摺動面７ａがくぼんで示されている図４（ａ）（ｂ），１０，１３，１４を参照すれば、溝であることは明かである。そして、この移動通路を摺動するスライドドアの特に【００２８】の第３の実施の形態を参照すると、先願明細書には次の発明（以下、「先願発明」という。）が記載されている。
「磁気テープを巻装した単一のリールが上ハーフと下ハーフとからなるカートリッジケース内に回転可能に収容され、
　前記磁気テープの先端部分がリーダーピンにクランプされて、
　テープ引出用開口部から、装置側のテープ引出し機構により前記リーダーピンが前記磁気テープとともに装置側に引き込まれる磁気テープカートリッジにおいて、
　前記テープ引出用開口部を開閉するスライドドアが、前記上ハーフと下ハーフに形成された移動通路を摺動可能に設けられ、
　前記移動通路の摺動面に対向する前記スライドドアの摺動面に、半球状の凸部を設けた磁気テープカートリッジ。」
　
（３）対比
　本願補正発明と先願発明を対比すると
　先願発明の「上ハーフと下ハーフ」「カートリッジケース」「磁気テープ」「リール」「磁気テープカードリッジ」は、本願補正発明の「上下ハーフ」「ケース本体」「テープ」「テープリール」「テープカートリッジ」に相当し、先願発明の「磁気テープ」の先端部分がクランプされる「リーダーピン」は、本願補正発明の「テープ」の先端が固定される「ピン状のリーダー部材」に相当する。
　そして、先願発明の「テープ引出用開口部」とこれを開閉する「スライドドア」及び「スライドドア」が摺動するように形成された「移動通路」は、本願補正発明の「テープ引き出し口」と「ドア部材」「ガイド溝」にそれぞれ相当する。
　してみれば、先願発明の、磁気テープを巻装した単一のリールが上ハーフと下ハーフとからなるカートリッジケース内に回転可能に収容され、前記磁気テープの先端部分がリーダーピンにクランプされて、テープ引出用開口部から、装置側のテープ引出し機構により前記リーダーピンが前記磁気テープとともに装置側に引き込まれる「磁気テープカートリッジ」において、前記テープ引出用開口部を開閉するスライドドアが、前記カートリッジケースに形成された移動通路を摺動可能に設けられたことは、本願補正発明の、「ケース本体内にテープを巻装した１つのテープリールが回転可能に収容され、テープの先端がピン状のリーダー部材に固定されて、ケース本体に設けたテープ引き出し口から装置にテープ引き出し部材によって引き出されるテープカートリッジにおいて、テープ引き出し口を開閉するドア部材を有し、このドア部材は上下ケースに形成されたガイド溝内を摺動するもの」である構成に相当する。
　先願発明の「スライドドア」の摺動面に設けた「半球状の凸部」は、スライドドアの摺動方向に直角にみたときに、円弧状に見える点において、先願発明の、移動通路の摺動面に対向するスライドドアの摺動面に、半球状の凸部を設けたことは、本願補正発明の「ドア部材上下のガイド溝に案内される部分」に「摺動方向に直角に見たとき円弧状」の「凸部を形成した」を備えた構成に相当する。
　
　以上まとめると、両者の一致点及び形式上の相違点は，次のとおりである。
　＜一致点＞
「ケース本体内にテープを巻装した１つのテープリールが回転可能に収容され、テープの先端がピン状のリーダー部材に固定されて、ケース本体に設けたテープ引き出し口から装置にテープ引き出し部材によって引き出されるテープカートリッジにおいて、
　テープ引き出し口を開閉するドア部材を有し、このドア部材は上下ケースに形成されたガイド溝内を摺動するもので、
　ドア部材上下のガイド溝に案内される部分に前記摺動方向に直角に見たとき円弧状の凸部を形成したテープカートリッジ。」
　
＜形式上の相違点＞
　摺動方向に直角に見たとき円弧状の凸部が、本願発明では、「且つ直角に見た方向の厚みが一定」と特定するのに対し，先願発明のものでは、このように特定されない点。
　
（４）判断
　上記形式上の相違点について検討すると、先願明細書及び図面には、図８に示した凸部（第３の実施の形態）の他にも、スライドドアがスムーズに摺動するように様々の形状の凸部が例示されており、凸部の形状は、当業者であれば適宜選択しうる程度の事項であり、現に、テープカートリッジにおいて、摺動する部材を溝内で円滑に動かすことを目的として、摺動方向に直角に見たとき円弧状で且つ直角に見た方向の厚味が一定の凸部を設けることは、本願出願前に周知・慣用の技術（実願昭６３−２１４２９号（実開平１−１２４９８８号）のマイクロフィルム：摺動凸部２３ａ，ｂ，ｃ，ｄ参照）である。
　本願補正発明は、磁気テープカートリッジにおけるドア部材の摺動性を良くすることを課題とするものであって、解決手段として、摺動方向に直角に見たときの円弧状の凸部を直角に見た方向の厚みが一定とするもので、前記周知・慣用の技術を適用したものに相当するものであり、その点に格別の効果を認めることもできないから、上記形式上の相違点は、単なる周知・慣用技術の付加にすぎない。
　
　したがって、本願補正発明は、先願明細書に記載された発明と実質的に同一であり、しかも、本願発明の発明者が上記先願明細書に記載された発明の発明者と同一であるとも、また、本願の出願時に、その出願人が上記他の出願の出願人と同一であるとも認められないので、本願補正発明は、特許法２９条の２の規定により特許を受けることができない。
　
（５）むすび
　以上のとおり、本件補正は、平成１５年改正前特許法１７条の２第５項で準用する同法１２６条４項の規定に違反するものであり、同法１５９条１項で準用する同法５３条１項の規定により却下されるべきものである。
　
３　本願発明について
　平成１５年１２月２６日付の手続補正は上記のとおり却下されたので、本願の請求項１に係る発明（以下、「本願発明」という。）は、平成１５年９月２９日付手続補正書の特許請求の範囲の請求項１に記載された事項により特定される、上記「２（１）ア」のとおりのものである。
　
（１）引用例
　原査定の拒絶の理由に引用された引用例、及びその記載事項は、前記「２（２）」に記載したとおりである。
　
（２）対比・判断
　本願発明は、前記「２（４）」で検討した本願補正発明から「摺動方向に直角に見たとき円弧状をなす凸部」の限定である「且つ前記直角に見た方向の厚みが一定」との構成を省いたものである。
　そうすると、本願発明の構成要件をすべて含み、さらに他の構成要件を付加したものに相当する本願補正発明が、前記「２（４）」に記載したとおり、先願明細書に記載された発明と同一であるから、本願発明も同様の理由により、先願明細書に記載された発明と同一である。しかも、本願発明の発明者が上記先願明細書に記載された発明の発明者と同一であるとも、また、本願の出願時に、その出願人が上記他の出願の出願人と同一であるとも認められない。
　
（３）むすび
　以上のとおり、本願発明は、先願明細書に記載された発明と同一であり、しかも、本願発明の発明者が上記先願明細書に記載された発明の発明者と同一であるとも、また、本願の出願時に、その出願人が上記他の出願の出願人と同一であるとも認められないものであるから、特許法第２９条の２の規定により特許を受けることができない。
　よって、結論のとおり審決する。